(57)【要約】      （修正有）【課題】土壌のｐＨを調節するための方法を提供する。【解決手段】≦５０．０μｍの重量メジアン粒径ｄ５０値を有する少なくとも１つのアルカリ土類炭酸塩含有材料の水性懸濁液を調製する工程と、これを灌漑システムまたは噴霧システムにより土壌上および／または土壌中に施用し、土壌のｐＨの上昇０．１当たり、アルカリ土類炭酸塩含有材料に基づいて、１．０から２５０．０ｋｇ／ｈａの量を施用する工程を含む、土壌のｐＨを調節する方法。【選択図】図１
2019070126.tif 000002
【特許請求の範囲】
【請求項１】
土壌のｐＨを調節するための方法であって、
ａ）≦５０．０μｍの重量メジアン粒径ｄ５０値を有する少なくとも１つのアルカリ土類炭酸塩含有材料を提供する工程、
ｂ）水溶液を提供する工程、
ｃ）工程ａ）の少なくとも１つのアルカリ土類炭酸塩含有材料を工程ｂ）の水溶液と接触させて、少なくとも１つのアルカリ土類炭酸塩含有材料を含む水性懸濁液を形成する工程、および
ｄ）工程ｃ）で得られた水性懸濁液を灌漑システムまたは噴霧システムにより土壌上および／または土壌中に施用する工程であって、水性懸濁液が、土壌のｐＨの上昇０．１当たり、少なくとも１つのアルカリ土類炭酸塩含有材料に基づいて、１．０から２５０．０ｋｇ／ｈａの量で土壌上および／または土壌中に施用される工程、
を含む方法。
【請求項２】
少なくとも１つのアルカリ土類炭酸塩含有材料が、少なくとも１つの炭酸マグネシウム含有材料、少なくとも１つの炭酸カルシウム含有材料およびそれらの混合物から選択され、好ましくは、少なくとも１つの炭酸カルシウム含有材料が、沈降炭酸カルシウム（ＰＣＣ）、例えば、アラゴナイト、バテライトおよび方解石の鉱物結晶形の１つ以上、ならびに／または天然の重質炭酸カルシウム（ＮＧＣＣ）、例えば、大理石、石灰石、チョークおよび／もしくはドロマイトの１つ以上から選択される請求項１に記載の方法。
【請求項３】
少なくとも１つのアルカリ土類炭酸塩含有材料が、
ａ）０．１μｍから５０．０μｍ、好ましくは０．２μｍから３０．０μｍ、より好ましくは０．３μｍから２０．０μｍ，最も好ましくは０．５μｍから１５．０μｍの範囲の重量メジアン粒径直径ｄ５０、および／または
ｂ）１．０ｍ２／ｇから１０．０ｍ２／ｇの範囲、より好ましくは３．０ｍ２／ｇから８．０ｍ２／ｇの範囲の、ＢＥＴ窒素法により測定される比表面積（ＢＥＴ）、および／または
ｃ）２．５から３．５ｇ／ｃｍ３の範囲、より好ましくは２．５から３．２ｇ／ｃｍ３の範囲、最も好ましくは２．６から３．０ｇ／ｃｍ３の範囲の密度
を有する請求項１または２に記載の方法。
【請求項４】
水溶液が、肥料、土壌改良剤、殺細菌剤、殺真菌剤、殺虫剤、除草剤、蒸発防止剤、凍結防止剤、緩衝剤、水軟化剤およびそれらの混合物を含む群から選択される少なくとも１つの化合物を含む請求項１から３のいずれか一項に記載の方法。
【請求項５】
水性懸濁液が、土壌のｐＨの上昇０．１当たり、少なくとも１つのアルカリ土類炭酸塩含有材料に基づいて、１．０から１００．０ｋｇ／ｈａの量で土壌上および／または土壌中に施用される請求項１から４のいずれか一項に記載の方法。
【請求項６】
灌漑システムは、点滴灌漑、施肥灌漑、スプリンクラー、ピボット、ブームを有する分配、およびこれらの混合から選択される請求項１から５のいずれか一項に記載の方法。
【請求項７】
土壌のｐＨを最適化または改良するための、≦５０．０μｍの重量メジアン粒径ｄ５０値を有する少なくとも１つのアルカリ土類炭酸塩含有材料の使用であって、少なくとも１つのアルカリ土類炭酸塩含有材料が、少なくとも１つのアルカリ土類炭酸塩含有材料を含む水性懸濁液の形態であり、水性懸濁液が土壌のｐＨの上昇０．１当たり、少なくとも１つのアルカリ土類炭酸塩含有材料に基づいて、１．０から２５０．０ｋｇ／ｈａの量で土壌上および／または土壌中に施用される使用。
【請求項８】
少なくとも１つのアルカリ土類炭酸塩含有材料が、少なくとも１つの炭酸マグネシウム含有材料、少なくとも１つの炭酸カルシウム含有材料およびそれらの混合物から選択され、好ましくは、少なくとも１つの炭酸カルシウム含有材料が、沈降炭酸カルシウム（ＰＣＣ）、例えば、アラゴナイト、バテライトおよび方解石の鉱物結晶形の１つ以上、ならびに／または天然の重質炭酸カルシウム（ＮＧＣＣ）、例えば、大理石、石灰石、チョークおよび／もしくはドロマイトの１つ以上から選択される請求項７に記載の使用。
【請求項９】
少なくとも１つのアルカリ土類炭酸塩含有材料が、
ａ）０．１μｍから５０．０μｍ、好ましくは０．２μｍから３０．０μｍ、より好ましくは０．３μｍから２０．０μｍ，最も好ましくは０．５μｍから１５．０μｍの範囲の重量メジアン粒径直径ｄ５０、および／または
ｂ）１．０ｍ２／ｇから１０．０ｍ２／ｇの範囲、より好ましくは３．０ｍ２／ｇから８．０ｍ２／ｇの範囲の、ＢＥＴ窒素法により測定される比表面積（ＢＥＴ）、および／または
ｃ）２．５から３．５ｇ／ｃｍ３の範囲、より好ましくは２．５から３．２ｇ／ｃｍ３の範囲、最も好ましくは２．６から３．０ｇ／ｃｍ３の範囲の密度
を有する請求項７または８に記載の使用。
【請求項１０】
水性懸濁液が、土壌のｐＨの上昇０．１当たり少なくとも１つのアルカリ土類炭酸塩含有材料に基づいて、１．０から２５０ｋｇ／ｈａ、好ましくは１．０から１００．０ｋｇ／ｈａの量で土壌上および／または土壌中に施用される請求項７から９のいずれか一項に記載の使用。
【請求項１１】
水溶液が、肥料、土壌改良剤、殺細菌剤、殺真菌剤、殺虫剤、除草剤、蒸発防止剤、凍結防止剤、緩衝剤、水軟化剤およびそれらの混合物を含む群から選択される少なくとも１つの化合物を含む請求項１０に記載の使用。
【請求項１２】
土壌が、
ａ）少なくとも１つのアルカリ土類炭酸塩含有材料の施用前に、
不等式（Ｉ）、より好ましくは不等式（Ｉａ）のｐＨ
ｐＨ≦７．２            （Ｉ）、
３．５＜ｐＨ≦７．０            （Ｉａ）
を有し、および
ｂ）少なくとも１つのアルカリ土類炭酸塩含有材料の施用後に、不等式（ＩＩ）、より好ましくは不等式（ＩＩａ）のｐＨ
ｐＨ≦７．２            （ＩＩ）、
５．１＜ｐＨ≦７．２            （ＩＩａ）
を有する場合であって、ｐＨが、少なくとも１つのアルカリ土類炭酸塩含有材料を土壌上および／または土壌中に施用した２、４、６、８、２４および／または５２週間後に決定されるものである場合
に最適化または改良が達成される請求項７から１１のいずれか一項に記載の使用。
【請求項１３】
少なくとも１つのアルカリ土類炭酸塩含有材料が、木になる果物、小植物の果実、穀物、マメ科植物、開放耕作地もしくは温室の野菜、工芸作物、農作物、観賞植物等の栽培植物のための土壌上および／または土壌中に施用される、請求項７から１２のいずれか一項に記載の使用。
【請求項１４】
請求項１から６のいずれか一項に記載の少なくとも１つのアルカリ土類炭酸塩含有材料を含む水性懸濁液を、土壌のｐＨの最適化または改良のために土壌上および／または土壌中に施用するための灌漑システムまたは噴霧システムの使用であって、灌漑システムが、点滴灌漑、施肥灌漑、スプリンクラー、ピボット、ブームを有する分配、およびこれらの混合から選択される使用。
【発明の詳細な説明】
【技術分野】
【０００１】
本発明は、土壌のｐＨを調節するための方法、および土壌のｐＨを最適化または改良するための≦５０．０μｍの重量メジアン粒径ｄ５０値を有する少なくとも１つのアルカリ土類炭酸塩含有材料の使用、および土壌のｐＨを最適化または改良するために、少なくとも１つのアルカリ土類炭酸塩含有材料を含む水性懸濁液を施用するための灌漑システムまたは噴霧システムの使用に関する。
【背景技術】
【０００２】
栽培植物の栽培は、多くの方法で使用される土壌のｐＨ等のいくつかの要因に影響を与える。例えば、カリフォルニア州では約６０００００エーカーには胡桃の木が植えられていることが計算され、従ってそれはカリフォルニアで最も栽培されている植物の１つである。一般には、カリフォルニア州はｐＨが中性の土壌環境を有することが知られているが、若木の植樹の際に、岩床が壊れ、花崗岩から吐き出され、放出された酸性度が表土に影響を与える場合には、酸性度が上昇する。その結果、胡桃を栽培するために使用される全面積の少なくとも１０％は、高酸度に悩まされている。この土壌の不均衡が容易に是正されない理由は、主に植え付けおよび栽培の前およびその間の準備作業の不十分な制御に基づく。
【０００３】
当分野では、土壌のｐＨを上昇させるためにいくつかの試みが行われた。例えば、炭酸カルシウムまたはドロマイト系の製品のいずれかによる石灰化(liming)は、土壌のｐＨを上昇させるための一般的な実務である。しかし、標準的な石灰は、風によって引き起こされるその塵の制御不能な分布という高い危険性を伴い土壌表面に施用される。そのため、特定の場所の経験によれば、高い量のドロマイトまたは炭酸カルシウム系製品、即ち、２年間で１０トン／エーカーが、ｐＨを５．０から５．２に上昇させるために必要とされる。また、膨大な施用量は、標準的な石灰が５という土壌ｐＨでは反応しないという事実による。栽培者は、エーカーあたり施用量を劇的に増加させることによって、この問題を克服しつつある。
【０００４】
例えば、ＷＯ０１／７０６４８号Ａ１は、粉末製品および組成物、特に土壌改良剤または土壌改良肥料、例えば、特に岩屑土改良(raw soil amendment)製品、またはリン酸三ナトリウム（ＴＳＰ）、塩化カリウムおよび／もしくは天然のリン酸塩等と混合された岩屑土改良製品のための無塵の添加剤として吸湿性の鉱物添加剤の使用に言及している。
【０００５】
さらに、ＥＰ０９２４１７６Ｂ１は、炭酸カルシウムもしくはドロマイトまたはそれらの混合物、または非常に微細な酸化マグネシウムの水性懸濁液を含む塩基性の液体の土壌改良剤に言及している。さらに、施用量は２から６トン／ヘクタール（ｔ／ｈａ）の範囲であることが開示されている。
【先行技術文献】
【特許文献】
【０００６】
【特許文献１】国際公開第２００１／０７０６４８号
【特許文献２】欧州特許第０９２４１７６号明細書
【発明の概要】
【発明が解決しようとする課題】
【０００７】
従って、土壌のｐＨを効果的に調節するための代替方法であって、該方法は、酸性度調整材料の高い施用量を回避しつつ、簡単で安価であるべきであり、処理される土壌のｐＨを上昇させまたは最適化する可能性を提供すべきである該方法を提供するための必要性がこの分野に依然としてある。また、土壌のｐＨの上昇または最適化は、十分な時間、好ましくは少なくとも６ヶ月の期間続くものである。
【０００８】
従って、土壌のｐＨを調節するための代替方法を提供することが本発明の目的である。本発明の別の目的は、ｐＨが上昇または最適化される点で土壌のｐＨを調節するための方法の提供に見出だすことができる。本発明のさらなる目的は、ｐＨ土壌改良剤材料を低施用量で施用可能な土壌のｐＨを調節するための方法の提供に見出だすことができる。本発明の別の目的は、利用可能な設備を用いて簡単な方法で分配することができる、土壌のｐＨを調節するための方法の提供に見出だすことができる。本発明のさらなる目的は、ｐＨ土壌改良剤材料を効率的に土壌に施用することができる土壌のｐＨを調節するための方法の提供に見出だすことができる。本発明のさらに別の目的は、十分な時間、好ましくは少なくとも６ヶ月の期間その効果が持続する方法の提供に見出だすことができる。さらなる目的は、本発明の以下の説明から理解することができる。
【課題を解決するための手段】
【０００９】
上記および他の目的は、請求項１において本明細書に定義される主題によって解決される。
【００１０】
土壌のｐＨを調節するための本発明の方法の有利な実施形態は、対応する従属請求項に定義される。
【００１１】
本発明の一態様によれば、土壌のｐＨを調節するための方法が提供され、該方法は以下の工程を含む。
ａ）≦５０．０μｍの重量メジアン粒径ｄ５０値を有する少なくとも１つのアルカリ土類炭酸塩含有材料を提供する工程、
ｂ）水溶液を提供する工程、
ｃ）工程ａ）の少なくとも１つのアルカリ土類炭酸塩含有材料を工程ｂ）の水溶液と接触させて、少なくとも１つのアルカリ土類炭酸塩含有材料を含む水性懸濁液を形成する工程、および
ｄ）工程ｃ）で得られた水性懸濁液を灌漑システムまたは噴霧システムにより土壌上および／または土壌中に施用する工程であって、水性懸濁液が、土壌のｐＨの上昇０．１当たり、少なくとも１つのアルカリ土類炭酸塩含有材料に基づいて、１．０から２５０．０ｋｇ／ｈａの量で土壌上および／または土壌中に施用される工程。
【図面の簡単な説明】
【００１２】
【図１】実施例１の結果を表すグラフである。
【図２】実施例２の試験１の結果を表すグラフである。
【図３】実施例２の試験２の結果を表すグラフである。
【図４】実施例２の試験３の結果を表すグラフである。
【発明を実施するための形態】
【００１３】
本発明者らは、驚くべきことに、土壌のｐＨを調節するための前述の方法が、アルカリ土類炭酸塩含有材料の高い施用量の使用を回避し、効果的に、高価な設備を使用することなしに簡単な方法で土壌に施用することができ、ｐＨを十分な時間上昇させるか最適化された土壌をもたらすことを見出した。より正確には、本発明者は、土壌のｐＨが、土壌上および／または土壌中に少なくとも１つのアルカリ土類炭酸塩含有材料を含む定義された水性懸濁液を施用することによって、改良または最適化できることを見出した。
【００１４】
本発明の目的に対し、以下の用語は以下の意味を有すると理解されるべきである。
【００１５】
本発明の目的に対し、用語「アルカリ土類炭酸塩含有材料」とは、アルカリ土類炭酸塩含有材料の全乾燥重量に基づいて、少なくとも４０．０重量％のアルカリ土類炭酸塩を含む材料を指す。好ましくは、この材料は、アルカリ土類炭酸塩含有材料の全乾燥重量に基づいて、少なくとも６０．０重量％、より好ましくは少なくとも８０．０重量％のアルカリ土類炭酸塩を含む。
【００１６】
本発明の意味における用語「アルカリ土類」炭酸塩含有材料または「アルカリ土類」炭酸塩とは、マグネシウムイオン、カルシウムイオン、ストロンチウムイオンまたはこれらの混合物、好ましくはマグネシウムイオン、カルシウムイオンまたはこれらの混合物、より好ましくはカルシウムイオンのようなアルカリ土類金属の２価陽イオンを指す。
【００１７】
本発明の意味における用語「水溶液」とは、個別の固体粒子が水中に見られない、水および場合によりさらなる添加剤を含む系を指す。
【００１８】
本発明の意味における用語「水性懸濁液」とは、不溶性固体、水および場合によりさらなる添加剤を含み、通常、大量の固体を含んでおり、このためより粘性であり、一般にそれを形成する液体よりも高い密度である。
【００１９】
本明細書中で使用され、当該分野で一般に定義されているように、「ｄ５０」値はＭｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）  ５１００（動作機器のソフトウェアバージョン１．０４）を使用して行われた測定に基づいて決定され、粒子体積または質量の５０％（中央値）が、指定された値に等しい直径を有する粒子によって占められるサイズとして定義される。その方法および機器は当業者に知られており、通常、充填剤および顔料の粒径を決定するために使用される。測定は、０．１重量％Ｎａ４Ｐ２Ｏ７の水溶液中で行われる。サンプルを、高速攪拌機および超音波を用いて分散する。
【００２０】
用語「含む（ｃｏｍｐｒｉｓｉｎｇ）」が本明細書および特許請求の範囲において使用される場合、それは、主要なまたはささいな機能的重要性の他の不特定の要素を排除するものではない。本発明の目的に対し、用語「からなる」は、用語「含む」の好ましい実施形態であると考えられる。以下においてある群が実施形態の少なくとも特定の数を含むように定義されている場合、これはまた、好ましくはこれらの実施形態のみからなる群を開示すると理解すべきである。
【００２１】
用語「含む（ｉｎｃｌｕｄｉｎｇ）」または「有する」が使用されるときはいつでも、これらの用語は、上記で定義した「含む（ｃｏｍｐｒｉｓｉｎｇ）」と同等であることを意味する。
【００２２】
単数名詞を参照するときに不定冠詞または定冠詞、例えば、「ａ」、「ａｎ」または「ｔｈｅ」が使用される場合、何か他のことが具体的に述べられていない限り、これはその名詞の複数形を含む。
【００２３】
本発明の別の態様によれば、土壌のｐＨを最適化または改良するために、≦５０．０μｍの重量メジアン粒径ｄ５０値を有する少なくとも１つのアルカリ土類炭酸塩含有材料を使用することが提供され、ここで、少なくとも１つのアルカリ土類炭酸塩含有材料は少なくとも１つのアルカリ土類炭酸塩含有材料を含む水性懸濁液の形態であり、水性懸濁液は、土壌のｐＨの上昇０．１当たり少なくとも１つのアルカリ土類炭酸塩含有材料に基づいて、１．０から２５０．０ｋｇ／ｈａの量で土壌上および／または土壌中に施用される。
【００２４】
本発明のさらなる態様によれば、土壌のｐＨを最適化または改良するために、少なくとも１つのアルカリ土類炭酸塩含有材料を含む水性懸濁液を土壌上および／または土壌中に施用するための灌漑システムまたは噴霧システムの使用が提供され、灌漑システムは、点滴灌漑、施肥灌漑、スプリンクラー、ピボット、ブームを有する分配、およびこれらの混合から選択される。
【００２５】
少なくとも１つのアルカリ土類炭酸塩含有材料は、少なくとも１つの炭酸マグネシウム含有材料、少なくとも１つの炭酸カルシウム含有材料およびそれらの混合物から選択することが好ましく、好ましくは、少なくとも１つの炭酸カルシウム含有材料は、沈降炭酸カルシウム（ＰＣＣ）、例えば、アラゴナイト、バテライトおよび方解石の鉱物結晶形の１つ以上、ならびに／または天然の重質炭酸カルシウム（ＮＧＣＣ）、例えば、大理石、石灰石、チョークおよび／もしくはドロマイトの１つ以上から選択される。
【００２６】
また、少なくとも１つのアルカリ土類炭酸塩含有材料は、ａ）０．１μｍから５０．０μｍ、好ましくは０．２μｍから３０．０μｍ、より好ましくは０．３μｍから２０．０μｍ，最も好ましくは０．５μｍから１５．０μｍの範囲の重量メジアン粒径直径ｄ５０、および／またはｂ）１．０ｍ２／ｇから１０．０ｍ２／ｇの範囲、より好ましくは３．０ｍ２／ｇから８．０ｍ２／ｇの範囲のＢＥＴ窒素法により測定される比表面積（ＢＥＴ）、および／またはｃ）２．５から３．５ｇ／ｃｍ３の範囲、より好ましくは２．５から３．２ｇ／ｃｍ３の範囲、最も好ましくは２．６から３．０ｇ／ｃｍ３の範囲の密度を有することが好ましい。水性懸濁液は、土壌のｐＨの上昇０．１当たり少なくとも１つのアルカリ土類炭酸塩含有材料に基づいて、１．０から２５０ｋｇ／ｈａ、好ましくは１．０から１００ｋｇ／ｈａの量で土壌上および／または土壌中に施用されることがさらに好ましい。また、水溶液は、肥料、土壌改良剤、殺細菌剤、殺真菌剤、殺虫剤、除草剤、蒸発防止剤、凍結防止剤、緩衝剤、水軟化剤およびそれらの混合物を含む群から選択される少なくとも１つの化合物をさらに含むことが好ましい。土壌が、少なくとも１つのアルカリ土類炭酸塩含有材料の施用前に、ａ）不等式（Ｉ）、より好ましくは不等式（Ｉａ）のｐＨ
ｐＨ≦７．２            （Ｉ）、
３．５＜ｐＨ≦７．０            （Ｉａ）、
少なくとも１つのアルカリ土類炭酸塩含有材料の施用後に、ｂ）不等式（ＩＩ）、より好ましくは不等式（ＩＩａ）のｐＨ
ｐＨ≦７．２            （ＩＩ）、
５．１＜ｐＨ≦７．２            （ＩＩａ）、
であって、ここで、ｐＨは少なくとも１つのアルカリ土類炭酸塩含有材料を土壌上および／または土壌中に施用した２、４、６、８、２４および／または５２週間後に決定されるｐＨを有する場合に最適化または改良が達成されることがよりさらに好ましい。また、少なくとも１つのアルカリ土類炭酸塩含有材料は、木になる果物、小植物の果実、穀物、豆科植物、開放耕作地もしくは温室の野菜、工芸作物、農作物、観賞植物のような栽培植物のための土壌上および／または土壌中に施用されることが好ましい。
【００２７】
本発明の少なくとも１つの実施形態によれば、少なくとも１つのアルカリ土類炭酸塩含有材料は、少なくとも１つの炭酸マグネシウム含有材料、少なくとも１つの炭酸カルシウム含有材料およびそれらの混合物から選択され、好ましくは、少なくとも１つの炭酸カルシウム含有材料は、沈降炭酸カルシウム（ＰＣＣ）、例えば、アラゴナイト、バテライトおよび方解石の鉱物結晶形の１つ以上、ならびに／または天然の重質炭酸カルシウム（ＮＧＣＣ）、例えば、大理石、石灰石、チョークおよび／もしくはドロマイトの１つ以上から選択される。
【００２８】
本発明の別の実施形態によれば、少なくとも１つのアルカリ土類炭酸塩含有材料は、ａ）０．１μｍから５０．０μｍ、好ましくは０．２μｍから３０．０μｍ、より好ましくは０．３μｍから２０．０μｍ，最も好ましくは０．５μｍから１５．０μｍの範囲の重量メジアン粒径直径ｄ５０、および／またはｂ）１．０ｍ２／ｇから１０．０ｍ２／ｇの範囲、より好ましくは３．０ｍ２／ｇから８．０ｍ２／ｇの範囲のＢＥＴ窒素法により測定される比表面積（ＢＥＴ）、および／またはｃ）２．５から３．５ｇ／ｃｍ３の範囲、より好ましくは２．５から３．２ｇ／ｃｍ３の範囲、最も好ましくは２．６から３．０ｇ／ｃｍ３の範囲の密度を有する。
【００２９】
本発明のさらに別の実施形態によれば、水溶液は、肥料、土壌改良剤、殺細菌剤、殺真菌剤、殺虫剤、除草剤、蒸発防止剤、凍結防止剤、緩衝剤、水軟化剤およびそれらの混合物を含む群から選択される少なくとも１つの化合物を含む。
【００３０】
本発明の一実施形態によれば、水性懸濁液は、土壌のｐＨの上昇０．１当たり少なくとも１つのアルカリ土類炭酸塩含有材料に基づいて、１．０から１００．０ｋｇ／ｈａの量で土壌上および／または土壌中に施用される。
【００３１】
本発明の別の実施形態によれば、灌漑システムは、点滴灌漑、施肥灌漑、スプリンクラー、ピボット、ブームを有する分配、およびこれらの混合から選択される。
【００３２】
上述のように、土壌のｐＨを調節するための本発明の方法は、少なくともａ）、ｂ）、ｃ）およびｄ）の処理段階を含む。以下では、本発明のさらなる詳細、特に土壌のｐＨを調節するための本発明の方法の前述の工程に言及される。
【００３３】
工程ａ）の特徴付け：少なくとも１つのアルカリ土類炭酸塩含有材料の提供
本発明の方法の工程ａ）によれば、≦５０．０μｍの重量メジアン粒径ｄ５０値を有する少なくとも１つのアルカリ土類炭酸塩含有材料が提供される。
【００３４】
表現「少なくとも１つの」アルカリ土類炭酸塩含有材料は、１種以上のアルカリ土類炭酸塩含有材料が本発明の方法において提供できることを意味することが理解される。
【００３５】
従って、少なくとも１つのアルカリ土類炭酸塩含有材料は、１種のアルカリ土類炭酸塩含有材料であることができることに留意すべきである。あるいは、少なくとも１つのアルカリ土類炭酸塩含有材料は、２種以上のアルカリ土類炭酸塩含有材料の混合物であることができる。例えば、少なくとも１つのアルカリ土類炭酸塩含有材料は、２種のアルカリ土類炭酸塩含有材料のような２種または３種のアルカリ土類炭酸塩含有材料の混合物であることができる。
【００３６】
本発明の一実施形態では、少なくとも１つのアルカリ土類炭酸塩含有材料は１種のアルカリ土類炭酸塩含有材料である。
【００３７】
本発明の意味における少なくとも１つのアルカリ土類炭酸塩含有材料は、少なくとも１つの炭酸マグネシウム含有材料、少なくとも１つの炭酸カルシウム含有材料およびそれらの混合物から選択される充填材料を指す。
【００３８】
本発明の一実施形態では、少なくとも１つのアルカリ土類炭酸塩含有材料は、少なくとも１つの炭酸カルシウム含有材料である。
【００３９】
好ましくは、少なくとも１つの炭酸カルシウム含有材料は、重質（または天然）炭酸カルシウム（ＮＧＣＣ）、沈降炭酸カルシウム（ＰＣＣ）、およびこれらの混合物から選択される。
【００４０】
ＮＧＣＣは、炭酸カルシウムの天然に存在する形態であり、石灰石またはチョークのような堆積岩または変成大理石の岩からから採掘され、例えば、サイクロンまたは分級機によって、湿式および／または乾式で粉砕、スクリーニングおよび／または細分化のような処理により加工されると理解される。本発明の一実施形態では、ＮＧＣＣは、大理石、チョーク、ドロマイト、石灰石およびこれらの混合物を含む群から選択される。
【００４１】
一方、ＰＣＣタイプの炭酸カルシウムは、水中で細かく分割された酸化カルシウム粒子に由来する場合、一般に当分野で石灰または石灰乳のスラリーと呼ばれる水酸化カルシウムのスラリーの炭酸化により、またはイオン性塩溶液からの沈殿により得られた合成炭酸カルシウム生成物を含む。ＰＣＣは、菱面体晶および／または偏三角面体および／またはアラゴナイトであってもよい。好ましい合成炭酸カルシウムまたは沈降炭酸カルシウムは、アラゴナイト、バテライト、または方解石の鉱物結晶形またはそれらの混合物を含む。
【００４２】
本発明の一実施形態では、少なくとも１つの炭酸カルシウム含有材料は、沈降炭酸カルシウム（ＰＣＣ）である。例えば、少なくとも１つの炭酸カルシウム含有材料は、方解石の鉱物結晶形の沈降炭酸カルシウムである。
【００４３】
あるいは、少なくとも１つの炭酸カルシウム含有材料は、天然の重質炭酸カルシウム（ＮＧＣＣ）である。例えば、少なくとも１つの炭酸カルシウム含有材料はドロマイトまたは石灰石である。好ましくは、少なくとも１つの炭酸カルシウム含有材料は石灰石である。
【００４４】
少なくとも１つの炭酸カルシウム含有材料中の炭酸カルシウムの量は、少なくとも１つの炭酸カルシウム含有材料の全乾燥重量に基づいて、少なくとも４０．０重量％、好ましくは少なくとも６０．０重量％、最も好ましくは少なくとも８０．０重量％であることが理解される。例えば、少なくとも１つの炭酸カルシウム含有材料中の炭酸カルシウムの量は、少なくとも１つの炭酸カルシウム含有材料の全乾燥重量に基づいて、少なくとも９５．０重量％、好ましくは９７．０から１００．０重量％、より好ましくは９７．０から９９．９５重量％、最も好ましくは９７．５から９９．５重量％である。
【００４５】
本発明の一実施形態では、少なくとも１つのアルカリ土類炭酸塩含有材料は、少なくとも１つの炭酸マグネシウム含有材料である。例えば、少なくとも１つの炭酸マグネシウム含有材料は、少なくとも１つの炭酸マグネシウム含有材料の全乾燥重量に基づいて、少なくとも４０．０重量％、好ましくは少なくとも６０．０重量％、最も好ましくは少なくとも８０．０重量％の量で炭酸マグネシウムを含む。例えば、少なくとも１つの炭酸マグネシウム含有材料における炭酸マグネシウムの量は、少なくとも１つの炭酸マグネシウム含有材料の全乾燥重量に基づいて、少なくとも９５．０重量％、好ましくは９７．０から１００．０重量％、より好ましくは９７．０から９９．９５重量％、最も好ましくは９７．５から９９．５重量％である。
【００４６】
一般に、少なくとも１つのアルカリ土類炭酸塩含有材料が≦５０．０μｍの重量メジアン粒径ｄ５０値を有することは、本発明の一つの特定の要件である。例えば、少なくとも１つのアルカリ土類炭酸塩含有材料は、０．１μｍから５０．０μｍ、好ましくは０．２μｍから３０．０μｍ、より好ましくは０．３μｍから２０．０μｍ，最も好ましくは０．５μｍから１５．０μｍの範囲の重量メジアン粒径ｄ５０を有する。
【００４７】
本発明の一実施形態では、少なくとも１つのアルカリ土類炭酸塩含有材料は、≦７５．０μｍのトップカット（ｄ９８）を有する。例えば、少なくとも１つのアルカリ土類炭酸塩含有材料は、≦５０．０μｍ、好ましくは≦３０．０μｍ、最も好ましくは≦２０．０μｍのトップカット（ｄ９８）を有する。
【００４８】
追加的または代替的に、少なくとも１つのアルカリ土類炭酸塩含有材料は、ＩＳＯ  ９２７７に従ったＢＥＴ窒素法により測定して、１．０ｍ２／ｇから１０．０ｍ２／ｇの範囲のＢＥＴ比表面積を有する。例えば、少なくとも１つのアルカリ土類炭酸塩含有材料は、ＩＳＯ  ９２７７に従ったＢＥＴ窒素法により測定して、３．０ｍ２／ｇから８．０ｍ２／ｇの範囲の比表面積（ＢＥＴ）を有する。
【００４９】
追加的または代替的に、少なくとも１つのアルカリ土類炭酸塩含有材料は、２．５から３．５ｇ／ｃｍ３の範囲の密度を有する。例えば、少なくとも１つのアルカリ土類炭酸塩含有材料は、２．５から３．２ｇ／ｃｍ３の範囲、最も好ましくは２．６から３．０ｇ／ｃｍ３の範囲の密度を有する。本発明の一実施形態では、少なくとも１つのアルカリ土類炭酸塩含有材料は、２．６から２．８ｇ／ｃｍ３の範囲または２．８から３．０ｇ／ｃｍ３の範囲の密度を有する。
【００５０】
本発明の一実施形態では、好ましくは、少なくとも１つのアルカリ土類炭酸塩含有材料は、≦５０．０μｍ、好ましくは０．１μｍから５０．０μｍ、より好ましくは０．２μｍから３０．０μｍ、さらにより好ましくは０．３μｍから２０．０μｍ，最も好ましくは０．５μｍから１５．０μｍの範囲のメジアン粒径直径ｄ５０値を有する石灰石のような炭酸カルシウム含有材料である。この場合には、少なくとも１つのアルカリ土類炭酸塩含有材料は、好ましくは、ＩＳＯ  ９２７７に従って窒素およびＢＥＴ法を使用して測定される１．０ｍ２／ｇから１０．０ｍ２／ｇ、最も好ましくは３．０ｍ２／ｇから８．０ｍ２／ｇのＢＥＴ比表面積を示す。さらに、少なくとも１つのアルカリ土類炭酸塩含有材料は、２．６から２．８ｇ／ｃｍ３の範囲の密度を有する。
【００５１】
本発明の別の実施形態では、好ましくは、少なくとも１つのアルカリ土類炭酸塩含有材料は、≦５０．０μｍ、好ましくは０．１μｍから５０．０μｍ、より好ましくは０．２μｍから３０．０μｍ、さらにより好ましくは０．３μｍから２０．０μｍ，最も好ましくは０．５μｍから１５．０μｍの範囲のメジアン粒径直径ｄ５０値を有するドロマイトのような炭酸カルシウム含有材料である。この場合には、少なくとも１つのアルカリ土類炭酸塩含有材料は、好ましくは、ＩＳＯ  ９２７７に従って窒素およびＢＥＴ法を使用して測定される１．０ｍ２／ｇから１０．０ｍ２／ｇ、最も好ましくは３．０ｍ２／ｇから８．０ｍ２／ｇのＢＥＴ比表面積を示す。さらに、少なくとも１つのアルカリ土類炭酸塩含有材料は、２．８から３．０ｇ／ｃｍ３の範囲の密度を有する。
【００５２】
少なくとも１つの炭酸カルシウム含有材料および／または少なくとも１つの炭酸マグネシウム含有材料のような、少なくとも１つのアルカリ土類炭酸塩含有材料は、乾式粉砕された材料、湿式粉砕および乾燥された材料または前記材料の混合物であることが好ましい。一般に、粉砕工程は、例えば、精製が主に二次体との衝撃から生じるような条件下で任意の従来の粉砕装置により、即ち、ボールミル、ロッドミル、振動ミル、ロールクラッシャー、遠心衝撃ミル、縦型ビーズミル、アトリションミル、ピンミル、ハンマーミル、粉砕機、シュレッダー、デクランパー（ｄｅｃｌｕｍｐｅｒ）、ナイフカッター、または当業者に知られている他のこのような機器の１以上中で実行することができる。
【００５３】
少なくとも１つの炭酸カルシウム含有材料および／または少なくとも１つの炭酸マグネシウム含有材料のような、少なくとも一つのアルカリ土類炭酸塩含有材料が湿式粉砕のアルカリ土類炭酸塩含有材料である場合、粉砕工程は、自原性(autogenous)粉砕が起こるような条件下で、および／または水平ボールミル粉砕によって、および／または当業者に公知の他のそのような方法によって行うことができる。このようにして得られた湿式処理粉砕アルカリ土類炭酸塩含有材料は、例えば、周知の方法、例えば、凝集、濾過または乾燥前の強制蒸発によって洗浄し、脱水することができる。乾燥の次の工程は、噴霧乾燥のような単一の工程で、または少なくとも２つの工程、例えば、少なくとも１つのアルカリ土類炭酸塩含有材料の全乾燥重量に基づいて、約０．５重量％を超えないレベルまで関連した水分量を減少させるために、第１の加熱工程をアルカリ土類炭酸塩含有材料に適用することにより、行うことができる。充填剤の残存総含水率は、１９５℃のオーブンで水分を脱着させ、１００ｍｌ／分で１０分間乾燥Ｎ２を用いるＫＦクーロメーター（Ｍｅｔｔｌｅｒオーブン  ＤＯ  ０３３７と組み合わされた、Ｍｅｔｔｌｅｒ  Ｔｏｌｅｄｏ電量ＫＦ滴定機  Ｃ３０）にそれを連続的に通過させる、カールフィッシャー電量滴定法により測定することができる。残留総含水率は検量線を用いて決定することができ、サンプルなしの１０分間のガス流のブラインドを考慮することができる。残留総水分含量は、第２の加熱工程を少なくとも１つのアルカリ土類炭酸塩含有材料に適用することによって、さらに減少させることができる。乾燥が複数の乾燥工程によって行われる場合には、第１の工程は、空気の熱い流れ中で加熱することにより行うことができ、一方、第２およびさらなる乾燥工程は、好ましくは、対応する容器中の雰囲気が表面処理剤を含む間接加熱によって行われる。少なくとも１つのアルカリ土類炭酸塩含有材料は、不純物を除去するための選鉱工程（例えば、浮遊選鉱、漂白または磁気分離工程）に供されることが一般的である。
【００５４】
本発明の一実施形態では、少なくとも１つのアルカリ土類炭酸塩含有材料は、少なくとも１つの乾燥重質炭酸カルシウム含有材料および／または少なくとも１つの乾式粉砕炭酸マグネシウムのような、少なくとも１つの乾式粉砕アルカリ土類炭酸塩含有材料である。別の実施形態では、少なくとも１つのアルカリ土類炭酸塩含有材料は、水平ボールミルで湿式粉砕され、続いて噴霧乾燥の周知の方法を使用して乾燥された材料である。少なくとも１つのアルカリ土類炭酸塩含有材料は、乾燥粉砕された材料であることが好ましい。
【００５５】
本発明の一実施形態では、少なくとも１つのアルカリ土類炭酸塩含有材料は、乾式粉砕石灰石のような乾燥重質炭酸カルシウム含有材料である。例えば、少なくとも１つのアルカリ土類炭酸塩含有材料は、≦５０．０μｍ、好ましくは０．１μｍから５０．０μｍ、より好ましくは０．２μｍから３０．０μｍ、さらにより好ましくは０．３μｍから２０．０μｍ，最も好ましくは０．５μｍから１５．０μｍの範囲のメジアン粒径直径ｄ５０値、およびＩＳＯ  ９２７７に従って窒素およびＢＥＴ法を使用して測定される１．０ｍ２／ｇから１０．０ｍ２／ｇ、最も好ましくは３．０ｍ２／ｇから８．０ｍ２／ｇのＢＥＴ比表面積を有する、乾式粉砕石灰石のような、乾燥重質炭酸カルシウム含有材料である。
【００５６】
工程ｂ）の特徴付け：水溶液の提供
本発明の方法の工程ｂ）に従って、水溶液が提供される。
【００５７】
本発明の意味における用語「水溶液」は、個別の固体粒子が水中に見られない、水および場合によりさらなる添加剤を含む系を指す。
【００５８】
用語「水」溶液は、水溶液の全重量に基づいて、少なくとも６０．０重量％、好ましくは少なくとも７０．０重量％、より好ましくは少なくとも７５．０重量％、最も好ましくは少なくとも８０．０重量％の水を含む溶液を指すことが理解される。例えば、水溶液は、水溶液の全重量に基づいて、６０．０から１００．０重量％、好ましくは７０．０から９９．９重量％、より好ましくは７５．０から９９．５重量％、最も好ましくは８０．０から９８．０重量％の水を含む。
【００５９】
本発明の一実施形態では、水溶液は水からなる。
【００６０】
水は、好ましくは、地下水、水道水、河川または湖の水、雪が解けた水、下水処理水、脱塩水、排水およびこれらの混合物を含む群から選択される。
【００６１】
水溶液は、水溶液の状態の改良に、または土壌上の植物の成長、健康および生産性を向上させるために一般に使用される化合物をさらに含むことができることが理解される。従って、この化合物は、肥料、土壌改良剤、殺細菌剤、殺真菌剤、殺虫剤、除草剤、蒸発防止剤、凍結防止剤、緩衝剤、水軟化剤およびそれらの混合物を含む群から選択することができる。
【００６２】
本発明の一実施形態では、水溶液は肥料を含む。好ましくは、肥料は、窒素、リン、およびカリウム化合物から選択することができる。例えば、肥料は、尿素、硝酸アンモニウム、リン酸アンモニウム、硫酸アンモニウム、リン酸尿素、モリブデン酸アンモニウム、硝酸カリウム、水酸化カリウム、リン酸カリウム、硫酸カリウム、塩化カリウムおよびそれらの混合物から選択することができる。追加的または代替的に、肥料は、肥料に関する２００３年１０月１３日の欧州議会および評議会の規則（ＥＣ）第２００３／２００３に記載されたようなもののような、ホウ酸、ホウ酸ナトリウム、ホウ酸カルシウム、ホウ素エタノールアミン、溶液中でのホウ酸入り肥料、懸濁液中のホウ酸入り肥料、コバルト塩、コバルトキレート、コバルト肥料溶液、銅塩、酸化銅、水酸化銅、銅キレート、銅系肥料、銅肥料溶液、オキシ塩化銅、オキシ塩化銅懸濁液、鉄塩、鉄キレート、鉄肥料溶液、マンガン塩、マンガンキレート、酸化マンガン、マンガン系肥料、マンガン系肥料溶液、モリブデン酸ナトリウム、モリブデン酸アンモニウム、モリブデン系肥料、モリブデン系肥料溶液、亜鉛塩、亜鉛キレート、酸化亜鉛、亜鉛系肥料、亜鉛系肥料溶液を含む群から選択される微量栄養素肥料のような微量栄養素肥料とすることができる。水溶液中の肥料の導入は、土壌または植物の葉に栄養を供給するために有利である。
【００６３】
追加的または代替的に、水溶液は水軟化剤を含む。例えば、水軟化剤は、クエン酸一ナトリウム、クエン酸一カリウムおよびそれらの混合物を含む群から選択することができる。このような硬水軟化剤は、有利には、灌漑システムまたは噴霧システムのノズルが目詰まりする危険性を低減するために、水溶液中に導入される。
【００６４】
追加的または代替的に、水溶液は凍結防止剤を含む。例えば、凍結防止剤は、塩化ナトリウム、塩化カリウムおよびそれらの混合物を含む群から選択することができる。このような凍結防止剤は、周囲温度を≦５℃である場合には、水溶液中に特に有利に導入される。
【００６５】
水溶液は、肥料、土壌改良剤、殺細菌剤、殺真菌剤、殺虫剤、除草剤、蒸発防止剤、凍結防止剤、緩衝剤、水軟化剤およびそれらの混合物を含む群から選択される１つ以上の前記化合物を含むことができることが理解される。
【００６６】
緩衝剤を水溶液に添加する場合には、水溶液は、処理される土壌のｐＨを一定のレベルに維持するのに十分ではない量で緩衝剤を含むことが理解される。換言すれば、水溶液は、処理される土壌のｐＨを上昇または最適化することができるように緩衝剤を含む。
【００６７】
表現「１つ以上」の前記化合物は１種以上の前記化合物を本発明の方法で提供することができることを意味することが理解される。
【００６８】
従って、前記化合物は、肥料、土壌改良剤、殺細菌剤、殺真菌剤、殺虫剤、除草剤、蒸発防止剤、凍結防止剤、緩衝剤および水軟化剤を含む群から選択される１種の化合物であることができることに留意すべきである。あるいは、化合物は、肥料、土壌改良剤、殺細菌剤、殺真菌剤、殺虫剤、除草剤、蒸発防止剤、凍結防止剤、緩衝剤および水軟化剤を含む群から選択される２種以上の化合物の混合物であることができる。例えば、前記化合物は、肥料、土壌改良剤、殺細菌剤、殺真菌剤、殺虫剤、除草剤、抗蒸発剤、凍結防止剤、緩衝剤および水軟化剤を含む群から選択される２種または３種の化合物の混合物であることができる。
【００６９】
本発明の一実施形態において、前記化合物は、肥料、土壌改良剤、殺細菌剤、殺真菌剤、殺虫剤、除草剤、蒸発防止剤、凍結防止剤、緩衝剤および水軟化剤を含む群から選択される１種の化合物である。
【００７０】
水溶液が、肥料、土壌改良剤、殺細菌剤、殺真菌剤、殺虫剤、除草剤、蒸発防止剤、凍結防止剤、緩衝剤および水軟化剤を含む群から選択される１種以上の化合物を含む場合、水溶液は、好ましくは、水溶液の全重量に基づいて、０．１から３０．０重量％、より好ましくは０．５から２５．０重量％、最も好ましくは２．０から２０．０重量％の総量で前記化合物を含む。
【００７１】
従って、水溶液が、肥料、土壌改良剤、殺細菌剤、殺真菌剤、殺虫剤、除草剤、蒸発防止剤、凍結防止剤、緩衝剤および水軟化剤を含む群から選択される１種以上の化合物を含む場合、水溶液は前記化合物および水を含み、好ましくはこれらからなる。例えば、水溶液は、水溶液の全重量に基づいて、０．１から３０．０重量％の総量で前記化合物、および７０．０から９９．９重量％の量で水を含み、好ましくはこれらからなる。好ましくは、水溶液は、水溶液の全重量に基づいて、０．５から２５．０重量％の総量で前記化合物、および７５．０から９９．５重量％の量で水を含み、好ましくはこれらからなる。より好ましくは、水溶液は、水溶液の全重量に基づいて、２．０から２０．０重量％の総量で前記化合物、および８０．０から９８．０重量％の量で水を含み、好ましくはこれらからなる。
【００７２】
工程ｃ）の特徴付け：少なくとも１つのアルカリ土類炭酸塩含有材料と水溶液の接触
本発明の方法の工程ｃ）によれば、工程ａ）の少なくとも１つアルカリ土類炭酸塩含有材料を工程ｂ）の水溶液と接触させて、少なくとも１つのアルカリ土類炭酸塩含有材料を含む水性懸濁液を形成する。
【００７３】
少なくとも１つアルカリ土類炭酸塩含有材料を水溶液と接触させる工程ｃ）は、混合および／または振とう条件下で行うことができる。当業者は、彼らの方法設備に、これらの混合（例えば、パレットを混合する構成および混合速度）および振とう条件を適合させるであろう。
【００７４】
本発明の一実施形態では、少なくとも１つのアルカリ土類炭酸塩含有材料と水溶液の接触は混合または振とう条件なしで行われる。
【００７５】
本発明の一実施形態では、工程ａ）の少なくとも１つのアルカリ土類炭酸塩含有材料を１段階で工程ｂ）の水溶液と接触させ、少なくとも１つのアルカリ土類炭酸塩含有材料は、好ましくは、水溶液に１部分として添加されるか、または水溶液が１部分として少なくとも１つのアルカリ土類炭酸塩含有材料に添加される。
【００７６】
本発明の別の実施形態では、工程ａ）の少なくとも１つのアルカリ土類炭酸塩含有材料を２以上の段階で工程ｂ）の水溶液と接触させ、少なくとも１つのアルカリ土類炭酸塩含有材料は、好ましくは、ほぼ等しい部分として水溶液に添加されるか、または水溶液がほぼ等しい部分として少なくとも１つのアルカリ土類炭酸塩含有材料に添加される。あるいは、少なくとも１つのアルカリ土類炭酸塩含有材料を等しくない部分として、即ち、より大きな部分またはより小さな部分として水溶液に添加するか、または水溶液を等しくない部分として少なくとも１つのアルカリ土類炭酸塩含有材料に添加することもできる。
【００７７】
なお、工程ａ）の少なくとも１つのアルカリ土類炭酸塩含有材料を工程ｂ）の水溶液と接触させることによる、少なくとも１つのアルカリ土類炭酸塩含有材料を含む水性懸濁液の形成はその場でまたは現場外で得ることができることが理解される。
【００７８】
本発明の意味において用語「その場で」は、水性懸濁液が土壌上および／または土壌中に施用される場所で、および／または１２０分以内のように、水性懸濁液が土壌上および／または土壌中に施用される直前に、少なくとも１つのアルカリ土類炭酸塩含有材料を含む水性懸濁液を調製することを指す。
【００７９】
従って、用語「現場外」は、水性懸濁液が土壌上および／または土壌中に施用される場所とは異なる場所で、および／または１２０分超過のように、水性懸濁液が土壌上および／または土壌中に施用されるずっと前に、少なくとも１つのアルカリ土類炭酸塩含有材料を含む水性懸濁液を調製することを指す。
【００８０】
工程ａ）の少なくとも１つのアルカリ土類炭酸塩含有材料を工程ｂ）の水溶液と接触させることによって形成される少なくとも１つのアルカリ土類炭酸塩含有材料を含む水性懸濁液は、好ましくは、水性懸濁液の全重量に基づいて、０．００１から７８．０重量％、好ましくは０．０１から２５．０重量％、最も好ましくは０．１から２０．０重量％の量で、少なくとも１つのアルカリ土類炭酸塩含有材料を含む。
【００８１】
水性懸濁液が水溶液および少なくとも１つのアルカリ土類炭酸塩含有材料を含み、好ましくはこれらからなることが好ましい。従って、水性懸濁液は、好ましくは、水性懸濁液の全重量に基づいて、０．００１から３０．０重量％の量で少なくとも１つのアルカリ土類炭酸塩含有材料、および７０．０から９９．９９９重量％の量で水溶液を含む。例えば、水性懸濁液は、水性懸濁液の全重量に基づいて、０．０１から２５．０重量％の量で少なくとも１つのアルカリ土類炭酸塩含有材料、および７５．０から９９．９９重量％の量で水溶液を含む。あるいは、水性懸濁液は、水性懸濁液の全重量に基づいて、０．１から２０．０重量％の量で少なくとも１つのアルカリ土類炭酸塩含有材料、および８０．０から９９．９重量％の量で水溶液を含む。
【００８２】
既に上述したように、水性懸濁液の液相は、即ち、水溶液は、液相の全重量に基づいて、少なくとも６０．０重量％、好ましくは少なくとも７０．０重量％、より好ましくは少なくとも７５．０重量％、最も好ましくは少なくとも８０．０重量％の水を含む。例えば、水性懸濁液の液相は、液相の全重量に基づいて、６０．０から１００．０重量％、好ましくは７０．０から９９．９重量％、より好ましくは７５．０から９９．５重量％、最も好ましくは８０．０から９８．０重量％の水を含む。
【００８３】
本発明の一実施形態において、水性懸濁液の液相は水からなる。
【００８４】
水性懸濁液の液相は、水溶液の状態の改良に、または土壌上の植物の成長、健康および生産性を向上させるために一般に使用される化合物をさらに、含むことができ、好ましくは、この化合物は、上記のように、肥料、土壌改良剤、殺細菌剤、殺真菌剤、殺虫剤、除草剤、蒸発防止剤、凍結防止剤、緩衝剤、水軟化剤およびそれらの混合物を含む群から選択される。
【００８５】
水性懸濁液の液相が１つ以上の前記化合物を含む場合は、水溶液は、好ましくは、液相の全重量に基づいて、０．１から３０．０重量％、より好ましくは０．５から２５．０重量％、最も好ましくは、２．０から２０．０重量％の総量で１つ以上前記化合物を含む。
【００８６】
工程ｄ）の特徴付け：水性懸濁液の土壌上および／または土壌中への施用
本発明の方法の工程ｄ）によれば、工程ｃ）で得られた水性懸濁液は、潅漑システムまたは噴霧システムによって土壌上および／または土壌中に施用され、水性懸濁液は、土壌のｐＨの上昇０．１当たり、少なくとも１つのアルカリ土類炭酸塩含有材料に基づいて、１．０から２５０ｋｇ／ｈａの量で土壌上および／または土壌中に施用される。
【００８７】
従って、少なくとも１つのアルカリ土類炭酸塩含有材料を含む水性懸濁液が、土壌上および／または土壌中に施用されることが１つの要件である。
【００８８】
好ましくは、水性懸濁液の形の少なくとも１つのアルカリ土類炭酸塩含有材料は、栽培植物を栽培するために使用される土壌上および／または土壌中に施用される。例えば、木になる果物、小植物の果実、穀物、豆科植物、野菜開放耕作地もしくは温室の野菜、工芸作物、農作物、観賞植物等の栽培植物。
【００８９】
本発明の一実施形態において、水性懸濁液の形態の少なくとも１つのアルカリ土類炭酸塩含有材料は木になる果物を植えるために使用される土壌上および／または土壌中に施用される。好ましくは、木になる果実は、ナシ状果、核果、柑橘類、トロピカルフルーツ等から選択される。例えば、木になる果実は、あんず、サクランボ、ブドウ、ココナツ、マンゴー、オリーブ、プラム、リンゴ、ナシ、マルメロ、シトロン、グレープフルーツ、レモン、ライム、オレンジ、ザボン、タンジェリン、アーモンド、カシュー、栗、ヘーゼルナッツ、マカダミア、ピーカン、ピスタチオ、クルミ、パイナップル、バナナ、パンノキ、ドリアン、エンセーテ、イチジク、ジャックフルーツ、パパイヤ、パッションフルーツ等を含む群から選択される。
【００９０】
本発明の一実施形態において、水性懸濁液の形態の少なくとも１つのアルカリ土類炭酸塩含有材料は、小植物の果実を栽培するために使用される土壌上および／または土壌中に施用される。好ましくは、小植物の果実はベリーである。例えば、小植物の果実は、ラズベリー、クランベリー、ブラックベリー、ブルーベリー、ハックルベリー、スグリ、ブドウ、メロン、イチゴ等を含む群から選択される。
【００９１】
本発明の一実施形態において、水性懸濁液の形態の少なくとも１つのアルカリ土類炭酸塩含有材料は、穀物を栽培するために使用される土壌上および／または土壌中に施用される。好ましくは、穀物は、大麦、リトルバーリ（ｌｉｔｔｌｅ  ｂａｒｌｅｙ）、シコクビエ、トウジンビエ、キビおよびアワ等の雑穀、トウモロコシ（ｃｏｒｎ）、トウモロコシ（ｍａｉｚｅ）、メイグラス（ｍａｙｇｒａｓｓ）、オート麦、米、ライ麦、モロコシ、ダイズ、スペルト（ｓｐｅｌｔ）、テフ、ライ小麦、ヒトツブコムギ小麦、デュラム小麦およびパン小麦等の小麦、アマランス、ソバ、ジュズダマ、キノア、ヒマワリ、サンプ小麦、ケシの実、ゴマ等を含む群から選択される。
【００９２】
本発明の一実施形態において、水性懸濁液の形態の少なくとも１つのアルカリ土類炭酸塩含有材料は、豆科植物を栽培するために使用される土壌上および／または土壌中に施用される。好ましくは、豆科植物は、アズキ、大豆、ヒヨコメ、ピント豆、インゲンマメ、レンティル、ランナー豆、ライマメ、ベルベット豆、緑豆、エンドウ豆、ピーナッツ、クズイモ等を含む群から選択される。
【００９３】
本発明の一実施形態において、水性懸濁液の形態の少なくとも１つのアルカリ土類炭酸塩含有材料は、野菜を栽培するために使用される土壌上および／または土壌中に施用される。好ましくは、植物は、開放耕作地または温室で栽培される。例えば、野菜は、ナス、ピーマン、カボチャ、ズッキーニ、トマト、ビーツ、ニンジン、パースニップ、大根、カブ、キャッサバ、ジャガイモ、サラダ、サツマイモ、サトウキビ、アルファルファ等を含む群から選択される。
【００９４】
本発明の一実施形態において、水性懸濁液の形態の少なくとも１つのアルカリ土類炭酸塩含有材料は、工芸作物を栽培するために使用される土壌上および／または土壌中に施用される。例えば、工芸作物は産油植物とすることができる。好ましくは、工芸作物は、オリーブ、ピーナッツ、大豆、キャノーラ、ヤシ、トウモロコシ、綿実、ケシ、パーム、菜種、紅花、ゴマ、ヒマワリ、亜麻仁、チアシード、アサイー、亜麻、ジャガイモ、綿、サトウキビ、サトウダイコン等を含む群から選択される。
【００９５】
本発明の一実施形態において、水性懸濁液の形態の少なくとも１つのアルカリ土類炭酸塩含有材料は、農作物を栽培するために使用される土壌上および／または土壌中に施用される。好ましくは、農作物は、アルファルファ、クローバー、干し草およびサイレージ用イネ科植物、オリーブ、ピーナッツ、大豆、キャノーラ、コーヒー、カカオ、茶、タバコ、綿、亜麻、ヘネッケン、ジュート、ケナフ、麻等を含む群から選択される。
【００９６】
本発明の一実施形態において、水性懸濁液の形態の少なくとも１つのアルカリ土類炭酸塩含有材料は、観賞植物を栽培するために使用される土壌上および／または土壌中に施用される。好ましくは、観賞植物は、観葉植物または造園植物から選択される。
【００９７】
水性懸濁液の形態の少なくとも１つのアルカリ土類炭酸塩含有材料は、炭酸カルシウム探幽材料の低い施用量で処理される土壌上および／または土壌中に施用されることが理解される。具体的には、水性懸濁液の形で少なくとも１つのアルカリ土類炭酸塩含有材料は、従来技術の施用量未満であるアルカリ土類炭酸塩含有材料の施用量で処理される土壌上および／または土壌中に施用される。
【００９８】
従って、少なくとも１つのアルカリ土類炭酸塩含有材料を含む水性懸濁液は、土壌のｐＨの上昇０．１当たり１．０から２５０．０ｋｇ／ｈａの量で土壌上および／または土壌中に施用される。施用量は、水性懸濁液中の少なくとも１つのアルカリ土類炭酸塩含有材料に基づくことに留意すべきである。
【００９９】
本発明の一実施形態では、少なくとも１つのアルカリ土類炭酸塩含有材料を含む水性懸濁液は、土壌のｐＨの上昇０．１当たり、少なくとも１つのアルカリ土類炭酸塩含有材料に基づいて、１．０から１００．０ｋｇ／ｈａの量で土壌上および／または土壌中に施用される。例えば、少なくとも１つのアルカリ土類炭酸塩含有材料を含む水性懸濁液は、土壌のｐＨの上昇０．１当たり、少なくとも１つのアルカリ土類炭酸塩含有材料に基づいて、１．０から７５．０ｋｇ／ｈａの量で土壌上および／または土壌中に施用される。
【０１００】
典型的には、処理される土壌は、少なくとも１つのアルカリ土類炭酸塩含有材料を施用する前に、不等式（Ｉ）、より好ましくは不等式（Ｉａ）のｐＨを有する。
ｐＨ≦７．２            （Ｉ）、
３．５＜ｐＨ≦７．０            （Ｉａ）。
【０１０１】
処理される土壌のｐＨは本方法によって調節されることが理解される。具体的には、処理される土壌のｐＨは、本方法によって最適化または改良される。
【０１０２】
特に、処理される土壌が、少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここで、ｐＨは少なくとも１つのアルカリ土類炭酸塩含有材料を土壌上および／または土壌中に施用した２、４、６、８、２４および／または５２週間後に決定される。
【０１０３】
例えば、処理される土壌が、少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここで、ｐＨは少なくとも１つのアルカリ土類炭酸塩含有材料を土壌上および／または土壌中に施用した２、４、６、８、２４または５２週間後に決定される。
【０１０４】
あるいは、処理される土壌が、少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここで、ｐＨは少なくとも１つのアルカリ土類炭酸塩含有材料を土壌上および／または土壌中に施用した２、４、６、８、２４および５２週間後に決定される。
【０１０５】
好ましくは、土壌が、少なくとも１つのアルカリ土類炭酸塩含有材料を施用する前に、不等式（Ｉ）、より好ましくは不等式（Ｉａ）
ｐＨ≦７．２            （Ｉ）、
３．５＜ｐＨ≦７．０            （Ｉａ）、
のｐＨを有し、および
少なくとも１つのアルカリ土類炭酸塩含有材料を施用した後に、不等式（ＩＩ）、より好ましくは不等式（ＩＩａ）のｐＨを有する場合に、最適化または改良が達成される。
ｐＨ≦７．２            （ＩＩ）、
５．１＜ｐＨ≦７．２            （ＩＩａ）、
ここで、ｐＨは少なくとも１つのアルカリ土類炭酸塩含有材料を土壌上および／または土壌中に施用した２、４、６、８、２４および／または５２週間後に決定される。
【０１０６】
但し、少なくとも１つのアルカリ土類炭酸塩含有材料を施用した後の処理される土壌のｐＨは、少なくとも１つのアルカリ土類炭酸塩含有材料を施用する前に測定された同じ土壌のｐＨ未満に低下しないことに留意すべきである。好ましくは、少なくとも１つのアルカリ土類炭酸塩含有材料を施用した後の処理される土壌のｐＨは、少なくとも１つのアルカリ土類炭酸塩含有材料を土壌上および／または土壌中に施用した後２、４、６、８、２４および／または５２週間の期間内に、少なくとも１つのアルカリ土類炭酸塩含有材料を施用する前に測定された同じ土壌のｐＨ未満に低下しない。例えば、少なくとも１つのアルカリ土類炭酸塩含有材料を施用した後の処理される土壌のｐＨは、少なくとも１つのアルカリ土類炭酸塩含有材料を土壌上および／または土壌中に施用した後２、４、６、８、２４および５２週間の期間内に、少なくとも１つのアルカリ土類炭酸塩含有材料を施用する前に測定された同じ土壌のｐＨ未満に低下しない。
【０１０７】
本発明の一実施形態では、処理される土壌の比ｐＨ（後）／ｐＨ（前）は、１．０から１．４の範囲、好ましくは１．０５から１．２の範囲、最も好ましくは１．０５から１．１の範囲であり、ここで
ｐＨ（後）は少なくとも１つのアルカリ土類炭酸塩含有材料を施用布した２、４、６、８、２４および／または５２週間後に決定されたｐＨであり、
ｐＨ（前）は少なくとも１つのアルカリ土類炭酸塩含有材料を施用する前のｐＨである。
【０１０８】
例えば、処理される土壌の比ｐＨ（後）／ｐＨ（前）は、１．０から１．４の範囲、好ましくは１．０５から１．２の範囲、最も好ましくは１．０５から１．１の範囲であり、ここで
ｐＨ（後）は少なくとも１つのアルカリ土類炭酸塩含有材料を施用した２、４、６、８、２４または５２週間後に決定されたｐＨであり、
ｐＨ（前）は少なくとも１つのアルカリ土類炭酸塩含有材料を施用する前のｐＨである。
【０１０９】
あるいは、処理される土壌の比ｐＨ（後）／ｐＨ（前）は、１．０から１．４の範囲、好ましくは１．０５から１．２の範囲、最も好ましくは１．０５から１．１の範囲であり、ここで
ｐＨ（後）は少なくとも１つのアルカリ土類炭酸塩含有材料を施用した２、４、６、８、２４および５２週間後に決定されたｐＨであり、
ｐＨ（前）は少なくとも１つのアルカリ土類炭酸塩含有材料を施用する前のｐＨである。
【０１１０】
土壌のｐＨを調節するための１つのさらなる要件は、少なくとも１つのアルカリ土類炭酸塩含有材料を含む水性懸濁液は、灌漑システムまたは噴霧システムによって土壌上および／または土壌中に施用されることである。
【０１１１】
本発明の一実施形態では、少なくとも１つのアルカリ土類炭酸塩含有材料を含む水性懸濁液は、灌漑システムまたは噴霧システムにより土壌上または土壌中に施用される。あるいは、少なくとも１つのアルカリ土類炭酸塩含有材料を含む水性懸濁液は、灌漑システムまたは噴霧システムによって土壌上および土壌中に施用される。例えば、少なくとも１つのアルカリ土類炭酸塩含有材料を含む水性懸濁液は、灌漑システムまたは噴霧システムを介して土壌上に施用される。
【０１１２】
一般に、少なくとも１つのアルカリ土類炭酸塩含有材料を含む水性懸濁液は、水性懸濁液を土壌上に分配および／または水性懸濁液を土壌中に注入するのに適した任意の従来の灌漑システムまたは噴霧システムによって土壌上および／または土壌中に施用することができる。例えば、灌漑システムは、点滴灌漑、施肥灌漑、スプリンクラー、ピボット、ブームを有する分配、およびこれらの混合、または当業者に公知の他のそのような機器から選択される。
【０１１３】
灌漑システムまたは噴霧システムは、少なくとも１つのアルカリ土類炭酸塩含有材料を含む水性懸濁液を処理される土壌上および／または土壌中に施用するためのシステムのような、灌漑システムまたは噴霧システムを運ぶのに適した任意の可動性または非可動性システムに取り付けることができることが理解される。例えば、可動性システムは、乗用車、トラックおよび飛行機のような、農業または園芸乗り物から選ばれる。
【０１１４】
得られた非常に良好な結果の点で、本発明の一態様は、土壌のｐＨを最適化または改良するための５０．０μｍの重量メジアン粒径ｄ５０値を有する少なくとも１つのアルカリ土類炭酸塩含有材料の使用にも関する。少なくとも１つのアルカリ土類炭酸塩含有材料が、少なくとも１つのアルカリ土類炭酸塩含有材料を含む水性懸濁液の形態であり、少なくとも１つのアルカリ土類炭酸塩含有材料が土壌のｐＨの上昇０．１当たり１．０から２５０．０ｋｇ／ｈａの量で土壌上および／または土壌中に施用されることが要求される。
【０１１５】
少なくとも１つのアルカリ土類炭酸塩含有材料、少なくとも１つのアルカリ土類炭酸塩含有材料を含む水性懸濁液、土壌、施用量、施用システムおよびそれらの好ましい実施形態の定義については、方法の工程ａ）、ｂ）、ｃ）およびｄ）をさらに説明する際の前述のコメントが参照される。
【０１１６】
土壌が、少なくとも１つのアルカリ土類炭酸塩含有材料を施用する前に、不等式（Ｉ）、より好ましくは不等式（Ｉａ）のｐＨを有し、
ｐＨ≦７．２            （Ｉ）、
３．５＜ｐＨ≦７．０            （Ｉａ）、
少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここでこのｐＨは少なくとも１つのアルカリ土類炭酸塩含有材料を土壌上および／または土壌中に施用した２、４、６、８、２４および／または５２週間後に決定される。
【０１１７】
例えば、土壌が、少なくとも１つのアルカリ土類炭酸塩含有材料を施用する前に、不等式（Ｉ）、より好ましくは不等式（Ｉａ）のｐＨを有し、
ｐＨ≦７．２            （Ｉ）、
３．５＜ｐＨ≦７．０            （Ｉａ）、
少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここでこのｐＨは少なくとも１つのアルカリ土類炭酸塩含有材料を土壌上および／または土壌中に施用した２、４、６、８、２４または５２週間後に決定される。
【０１１８】
あるいは、土壌が、少なくとも１つのアルカリ土類炭酸塩含有材料を施用する前に、不等式（Ｉ）、より好ましくは不等式（Ｉａ）のｐＨを有し、
ｐＨ≦７．２            （Ｉ）、
３．５＜ｐＨ≦７．０            （Ｉａ）、
少なくとも１つのアルカリ土類炭酸塩含有材料を施用した後に、不等式（ＩＩ）、より好ましくは不等式（ＩＩａ）のｐＨを有する場合に最適化または改良が達成される。
ｐＨ≦７．２            （ＩＩ）、
５．１＜ｐＨ≦７．２            （ＩＩａ）、
ここでこのｐＨは少なくとも１つのアルカリ土類炭酸塩含有材料を土壌上および／または土壌中に施用した２、４、６、８、２４および５２週間後に決定される。
【０１１９】
従って、土壌ｐＨの上昇または最適化は、十分な時間、好ましくは少なくとも６ヶ月の期間持続することが理解される。例えば、土壌ｐＨの上昇または最適化は、少なくとも７ヶ月、より好ましくは少なくとも８ヶ月、さらにより好ましくは少なくとも９ヶ月、さらにより好ましくは少なくとも１０ヶ月、最も好ましくは少なくとも１１ヶ月間、例えば、少なくとも１２ヶ月の期間持続する。
【０１２０】
灌漑システムまたは噴霧システムを用いて、少なくとも１つのアルカリ土類炭酸塩含有材料を含む水性懸濁液を土壌上および／または土壌中に施用することによって得られる非常に良好な結果の点で、本発明のさらなる態様は、土壌のｐＨを最適化または改良するために、少なくとも１つのアルカリ土類炭酸塩含有材料を含む水性懸濁液を土壌上および／または土壌中に施用するための灌漑システムまたは噴霧システムの使用に言及する。灌漑システムは、点滴灌漑、施肥灌漑、スプリンクラー、ピボット、ブームを有する分配、およびこれらの混合から選択されることが好ましい。
【０１２１】
少なくとも１つのアルカリ土類炭酸塩含有材料、少なくとも１つのアルカリ土類炭酸塩含有材料を含む水性懸濁液、土壌、施用量、施用システムおよびそれらの好ましい実施形態の定義については、方法の工程ａ）、ｂ）、ｃ）およびｄ）をさらに説明する際の前述のコメントが参照される。
【０１２２】
以下の実施例は、さらに本発明を例示することができるが、奔発明を例示的な実施形態に限定することを意味しない。以下の実施例は、少なくとも１つのアルカリ土類炭酸塩含有材料の低減された施用量ならびに少なくとも１つの炭酸カルシウム含有材料を含む水性懸濁液で処理された土壌の最適化および／または改良されたｐＨを示す。
【実施例】
【０１２３】
測定方法
以下の測定方法は、実施例および特許請求の範囲で指定したパラメータを評価するために使用される。
【０１２４】
粒状材料の粒径分布（直径＜ｘの質量％の粒子）および重量メジアン径（ｄ５０）
本明細書で使用され、当分野で一般に定義されるように、「ｄ５０」値はＭｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）  ５１００を使用して行われた測定に基づいて決定され、粒子体積または質量の５０％（中央値）が、指定された値に等しい直径を有する粒子によって占められるサイズとして定義される。
【０１２５】
方法および機器は当業者に知られており、通常、充填剤および顔料の粒径を決定するために使用される。測定は、０．１重量％Ｎａ４Ｐ２Ｏ７の水溶液中で行われる。サンプルを、高速攪拌機および超音波を用いて分散する。
【０１２６】
材料のＢＥＴ比表面積
本明細書全体にわたって、アルカリ土類炭酸塩含有材料の比表面積（ｍ２／ｇで表される）は、（吸着ガスとして窒素を使用する）ＢＥＴ法を用いて決定され、該方法は当業者に周知である（ＩＳＯ  ９２７７；１９９５）。アルカリ土類炭酸塩含有材料の全表面積は（ｍ２で表される）は、処理前のアルカリ土類炭酸塩含有材料の比表面積と質量（ｇで表される）を乗算することによって得られる。
【０１２７】
密度
密度は、ＭｉｃｒｏｍｅｒｉｔｉｃｓからのＡｃｃｕＰｙｃ  １３３０ガス比重瓶を有するヘリウムガス比重瓶法を用いる２００４年１２月のＮｏｒｍ  ＤＩＮ  ６６１３７−２に従って測定され、ヘリウムガスは９９．９９５％の純度（ヘリウムガス４．５等級）である。ＭｉｃｒｏｍｅｒｉｔｉｃｓからのＡｃｃｕＰｙｃ較正標準、シリアル番号３０５９を用いた。
【０１２８】
ｐＨ
土壌溶液中のＨ＋に関する遊離酸度を、水のｐＨによって次のように決定した：
【０１２９】
ｐＨの評価のために、土壌サンプルを５から１０ｃｍの深さから採取した。３０ｍｌの体積の土壌サブサンプルを取る前に、土壌サンプルを徹底的に混合した。サブサンプルを、３０ｍｌの蒸留水と一緒にプラスチック容器に入れ、土壌−水の混合物を徹底的に混合した。得られた土壌／水混合物は、このように、体積基準で１：１の土壌：水の比に等しい。その後、容器を閉鎖し、次いで約２５回振とうした。約１０から１５分間土壌粒子の沈降後、４．０および７．０の標準緩衝溶液で較正され、少なくとも０．０５ｐＨ単位に対する再現でＡＣまたはバッテリー操作されたｐＨメーター（モデル  Ｍｅｔｔｌｅｒ  Ｔｏｌｅｄｏ  Ｆ２０−  ＦｉｖｅＥａｓｙ）を溶液の最上部に挿入し、ｐＨをデジタルで記録した。
【０１３０】
［実施例１］
カリフォルニア州エスカロン（Ｅｓｃａｌｏｎ）の１つクルミの果樹園を試験場所として選んだ。この場所は、高い酸性度と乏しい水の浸透に悩んでおり、平均ｐＨは約４．９から５．１であった。この酸性度をバランスよくするために、栽培者は過去２年間１エーカー当たりドロマイト粉末約２トン、即ち、合計で約４トン／ｈａを使用した。これら２回の施用後、結果は５．０から５．２へのｐＨのわずかな上昇を示し、施用時から６ヵ月後に再び５に低下した。さらに、この標準製品は表土に施用され、土壌の酸性度および水分とゆっくり反応する。不均一な粒径および細粉の高い存在のために、製品のかなりの量が風で失われ、そのため土壌を処理するのに利用できないことが発生する可能性がある。
【０１３１】
約２４ｈａ（６０エーカー）のプロットを、約５％の植物が悪い健康であった約６０００本の木を含む試験場所として定義した。水源は、ｐＨ７で２．７Ｓ／ｍのＥＣ（電気伝導度）で、非常に低いミネラル含有量のサウスサンホアキン灌漑地区運河からの融雪により供給した。
【０１３２】
試験場所上に水性懸濁液の形で２８０．２ｋｇ／ｈａの炭酸カルシウム含有材料（米国、オムヤ社からのＡｇｒｏｃａｒｂ（Ｒ）  １００として利用可能）を施用することを決めた。水性懸濁液を分配するため、石膏の粉末溶液等級または液体肥料／改良剤を施用するための利用可能な灌漑システムを使用した。具体的には、水をトレーラに搭載された１８０米ガロンｌｑｄ（約６８０リットル）の容量の容器の底部に導入する。その後、炭酸カルシウム含有材料をその場で水に添加し、いかなる混合も関与せず、次に得られたスラリーを、運河の水が入る流域に重力によって排出した。その後、水性懸濁液を試験場所の土壌上にポンピングした。懸濁液の特性を確保するために、ポンプから最も遠い距離にあるスプリンクラーから水を採取した。灌漑システムは、炭酸カルシウム含有材料を含む水性懸濁液を１時間当たり約３４０ｋｇ（７５０ｌｂ）消費した。灌漑および土壌の２４ｈａ（６０エーカー）上に約２８０．２ｋｇ／ｈａ（２５０ｌｂ／ａ）を施用するのに２４時間必要であった。試験場所からの土壌サンプルを２、４、６および８週間の間隔で試験した。
【０１３３】
図１に示す結果から、土壌のｐＨは炭酸カルシウム含有材料を含む水性懸濁液の施用後２週間以内に急激に上昇することが理解できる。ｐＨは、試験期間の残りの６週間の間安定にとどまった。
【０１３４】
［実施例２］
試験１
炭酸カルシウム含有材料を含む水性懸濁液を、トウモロコシを栽培する試験場所上で試験した。
【０１３５】
実験計画は８つの複製を有する無作為化完全ブロックであった。水性懸濁液を分配するため、土壌に除草剤溶液を施用するためのバーの利用可能な配置を、炭酸カルシウム含有材料を含む水性懸濁液を施用するためにどのブロックにも、もれなく使用した。
【０１３６】
処理は
１＝未処理、
２＝通常使用される粉砕ドロマイト質石灰石（参照「ドロマイト石灰」、地方の生産者から入手可能）約２２４０ｋｇ／ｈａ（２０００ｌｂｓ／ａ）、および
３＝炭酸カルシウム含有材料（米国、オムヤ社からＴｏｐ  Ｆｌｏｗ  １３０として入手可能）を含む水性懸濁液約１５３７リットル／ｈａ（１６６ガロン／ａ）。
【０１３７】
ｐＨは、炭酸カルシウム含有材料を含む水性懸濁液または標準参照を土壌に施用する前（ポイント１）に、ならびに、炭酸カルシウム含有材料を含む水性懸濁液または標準参照を土壌に施用した後２週間毎（ポイント２）、４週間毎（ポイント３）、８週間毎（ポイント４）、１２週間毎（ポイント５）および１６週間毎（ポイント６）に、ジョージア州、カミラのＷＡＴＥＲＳラボにおいて水中で決定した。
【０１３８】
図２から、炭酸カルシウム含有材料を含む水性懸濁液（実線）および標準参照（点線）を土壌ｐＨに施用した後の土壌ｐＨの傾向を理解することができる。
【０１３９】
異なる製品を施用した後２週間（ポイント２）で、土壌のｐＨは両方の処理に対し上昇し、ｐＨの急な山形の明確な効果を示した。
【０１４０】
４週間後（ポイント３）、未処理の試験場所は急激なｐＨの低下を示し、処理２（即ち、参照）でも同様であり、ｐＨレベルは最初のｐＨ、即ち、土壌改良剤を施用する前よりも低かった。
【０１４１】
処理番号３（即ち、カルシウム炭酸塩含有材料を含む水性懸濁液）も、２週間後（ポイント２）の後に測定されたｐＨと比較して、処理の４週間後（ポイント３）にｐＨの低下を示したが、決定されたｐＨは最初のｐＨ、即ち、土壌改良材を施用する前（ポイント１）のｐＨよりも高かった。
【０１４２】
１６週間後（ポイント６）、炭酸カルシウム含有材料を含む本発明の水性懸濁液で処理されたプロットのｐＨは、ドロマイト石灰（即ち、＋０．５５ｐＨ）または未処理検査（即ち、＋１．０５０ｐＨ）のどちらに対しても差を示した。
【０１４３】
試験２
炭酸カルシウム含有材料を含む水性懸濁液を、綿を栽培する試験場所でも試験した。
【０１４４】
処理１、２および３を綿に対し行った以外は、上記試験１について記載したように実験を行った。
【０１４５】
図３から、炭酸カルシウム含有材料を含む水性懸濁液（実線）および標準参照（点線）を土壌ｐＨに施用した２週間後（ポイント２）、４週間後（ポイント３）、８週間後（ポイント４）および１２週間後（ポイント５）の土壌のｐＨの傾向が理解できる。
【０１４６】
参照処理（すなわち、処理番号２）および未処理サンプルと比較した場合、異なる製品の施用後２週間（ポイント２）では、処理番号３（即ち、炭酸カルシウム含有材料を含む水性懸濁液）は土壌水分とより速く反応した。炭酸カルシウム含有材料を含む水性懸濁液（処理番号３）の施用後１２週間（ポイント５）ですら、このサンプルのｐＨは、標準処理（即ち、＋０．５２５ｐＨ）および未処理サンプル（即ち、＋１．２ｐＨ）のｐＨを上回った。
【０１４７】
試験３
炭酸カルシウム含有材料を含む水性懸濁液を、ピーナッツを栽培する試験場所上で試験した。
【０１４８】
処理１、２および３をピーナッツに対し行った以外は、上記試験１について記載したように実験を行った。
【０１４９】
図４から、炭酸カルシウム含有材料を含む水性懸濁液（実線）および標準参照（点線）を土壌ｐＨに施用した２週間後（ポイント２）、４週間後（ポイント３）および８週間後（ポイント４）の土壌のｐＨの傾向が理解できる。
【０１５０】
より低いｐＨから開始しても（即ち、処理番号３に対しｐＨ６．２２５対処理番号２に対し６．３７５、ポイント１）、炭酸カルシウム含有材料を含む水性懸濁液はより速い反応を示し、その施用の最も初期の段階から土壌を改良した。２週間後（ポイント２）、４週間後（ポイント３）および８週間後（ポイント４）に行われた全てのｐＨ測定は、炭酸カルシウム含有材料を含む水性懸濁液で処理した試験場所はｐＨ７を上回ったままであったのに対し、参照処理は、反応がより遅く、そのｐＨレベルに達しなかったことを示した。
【０１５１】
その結果、試験１から３から、噴霧システムまたは灌漑システムを用いて土壌に施用された炭酸カルシウム含有材料を含む水性懸濁液を用いる土壌の処理は、すべての試験で参照サンプルと比較して、より良い性能を示したことを結論付けることができる。実際、その独自の配合および液体施用によって得られた土壌のより良い分配により、土壌のプロットが、一般的な方法によって到達しなかったｐＨレベルに到達することが可能になった。
【０１５２】
【表１】
2019070126.tif 000003
【０１５３】
ＧＣＣスラリーは、固形分７６重量％、０．５μｍのｄ５０および４μｍのトップカットを有する、肥料スラリー施用タンク車により施用された炭酸カルシウムスラリーを指す。消石灰は、９４％の２００メッシュ（７５μｍ）を有する市販の消石灰であり、粉末は畑に手動で分配された。
【０１５４】
ｐＨの測定は、竹村電工株式会社からの土壌テスター  モデルＤＭ／１５により畑内で直接行った。
【図１】
2019070126.tif 000004
【図２】
2019070126.tif 000005
【図３】
2019070126.tif 000006
【図４】
2019070126.tif 000007